(57)【特許請求の範囲】
【請求項１】
回路基板を収納するモジュールのモジュールケース枠が複数段の部分枠により構成され、該部分枠の端面に配線溝を形成し、該配線溝の内側壁、外側壁の所要箇所に内切欠部、外切欠部を形成し、前記部分枠の角部に上下に貫通するボルト孔を設け、前記部分枠を複数段重ね、前記ボルト孔に挿通したボルトにより一体可能であり、前記部分枠の各段毎に前記配線溝が形成され、該配線溝に接続先毎にケーブルを収納させ、該ケーブルを接続先毎に区分け可能としたことを特徴とする電子機器のモジュール構造。
【発明の詳細な説明】
【０００１】
【発明の属する技術分野】
本発明は、無線機、電子機器、特に中型、大型の無線機、電子機器に使用されるモジュールに関し、特にモジュール間の配線を改良するモジュールケースの構造に関するものである。
【０００２】
【従来の技術】
中型、大型の無線機、電子機器では組立性、メンテナンス性が考慮され、回路の機能毎にモジュール化している。
【０００３】
従来電子機器のモジュール構造としては、特開平５−１９１０６８号、実開平５−３１３８７号に示されるものがあるが、これらはモジュール間の配線については特に言及されていない。
【０００４】
以下、従来の電子機器のモジュール構造について図４により説明する。
【０００５】
所要の機能が発揮される様に、配線基板１に配線パターンが形成され、又各種電子部品２が実装されて回路構成された回路基板３はモジュールケース４に収納されている。尚、モジュール自体はコネクタを介してマザーボード等に電気的に接続されるが、前記回路基板３の回路配置により他のモジュール各方面からケーブルが前記回路基板３に接続されることが多々ある。
【０００６】
従来、前記回路基板３にケーブルを接続する場合、前記モジュールケース４を乗越える様にケーブル５が引回され、前記回路基板３の所要位置に接続されている。
【０００７】
【発明が解決しようとする課題】
上記した従来の電子機器のモジュール構造であると、前記モジュールケース４を乗越える様にケーブル５が引回されることから、隣接するモジュールケース４間にケーブル配線用の空間を確保する必要があり、モジュールを収納する筐体内に無駄なスペースが多くなり、電子機器が大型化する。又、直接ケーブル５が回路基板３に接続される構造であるので、ケーブル５の引回しが乱雑となり、ケーブル５の接続先の確認が難しく誤配線を起易くなってしまうという問題があった。更に、仕様変更等でケーブル５の再配線をする必要が生じた場合は、配線作業は更に煩雑で、作業者の注意を要し、作業者の負担が大きかった。
【０００８】
本発明は斯かる実情に鑑み、モジュールに対する配線を単純化し、メンテナンス性を向上させ、又配線に必要な空間を減少させ、電子機器の小型化を図るものである。
【０００９】
【課題を解決するための手段】
本発明は、回路基板を収納するモジュールのモジュールケース枠の端面に配線溝を形成し、該配線溝の内側壁、外側壁の所要箇所に内切欠部、外切欠部を形成した電子機器のモジュール構造に関するものである。
【００１０】
【発明の実施の形態】
以下、図面を参照しつつ本発明の実施の形態を説明する。
【００１１】
図１により本発明の実施の形態について説明する。
【００１２】
尚、図１中、図４中で示したものと同等のものには同符号を付してある。
【００１３】
回路基板３は、配線基板１に各種電子部品２が実装されて回路構成され、モジュールケース７に収納されている。
【００１４】
該モジュールケース７は底板１４とモジュールケース枠１５により構成されている。
【００１５】
該モジュールケース枠１５の上端面には配線溝８が全周に亘って設けられており、該配線溝８の内側壁８ａの所要位置、例えば一辺につき中央部に１箇所（図示では計２箇所）に、内切欠部９が設けられている。又、前記配線溝８の外側壁８ｂの所要位置、例えば各角部に外切欠部１０が設けられる。尚、前記内切欠部９と外切欠部１０については重ならない位置であればどこでもよい。
【００１６】
前記回路基板３に接続されるケーブル５は前記外切欠部１０から前記配線溝８に嵌込まれ、該配線溝８内を引回され、前記ケーブル５の接続に最も適した位置の前記内切欠部９から前記モジュールケース７内に引込まれ、前記回路基板３の所要位置に接続される。
【００１７】
前記ケーブル５は前記配線溝８内に収納されるので、前記ケーブル５の配線の為に余分な空間を必要としない。従って、隣接するモジュールケース７を密着させ配設することも可能となり、スペースの節約ができる。
【００１８】
又、前記配線溝８は配線ダクトとして機能するので、配線がバラバラとならずまとまりがよく、更に接続先毎に通過する外切欠部１０を区分けすることで、誤配線もなくなる。
【００１９】
前記モジュールケース枠１５の構造は、配線溝８、内切欠部９、外切欠部１０が形成できる構造であればよく、モールド成型品としてもよく、或は板金により内ケース、外ケースの２重構造としてもよい。
【００２０】
次に、図２は他の実施の形態を示している。
【００２１】
該他の実施の形態では、モジュールケース枠１５を複数の部分枠１１により構成したものである。該部分枠１１には共通した位置、好ましくは角部に上下に貫通するボルト孔１２が穿設され、前記部分枠１１を複数段重ねた後、ボルト１３により簡単に一体化できる。
【００２２】
前記各部分枠１１の上端面には前記配線溝８が形成され、該配線溝８の内側壁８ａの所要位置には内切欠部９が形成され、外側壁８ｂの角部には外切欠部１０が形成されている。前記部分枠１１を複数重ねることで、複数段に前記配線溝８が形成されることとなり、接続先毎に更に細かくケーブル５を区分けでき、該ケーブル５の識別が容易となり、誤配線が防止できると共に配線の引回しが簡略化される。
【００２３】
勿論、前記部分枠１１をモジュールケース７が要求される最小高さとし、図３に示す様に、単品のみで、モジュールケース枠１５として使用することも可能である。
【００２４】
又、仕様変更等で追加のケーブル配線が必要となった場合、前記部分枠１１を更に追加することで容易に配線が可能となり、既に配線されたケーブル５と完全に分離できるので、干渉することなく、又誤認識することなく簡単な作業で確実な配線が可能となる。
【００２５】
更に、前記部分枠１１を規格化し、モジュールの変更については該部分枠１１の段数を変更することで対応する様にすると、全ての電子機器のモジュールに共通の部分枠１１が使用可能となり、部品管理が容易になると共に型成型による製作とすれば、該部分枠１１単体の価格は非常に安価となり、製作コストの低減に寄与する。
【００２６】
尚、前記内切欠部９を一辺につき複数箇所設け、接続箇所毎に使用する内切欠部９の位置を変えることで、作業性が向上すると共に誤配線は更に低減する。
【００２７】
尚、配線溝はケース枠の下端面に形成してもよい。
【００２８】
【発明の効果】
以上述べた如く本発明によれば、回路基板を収納するモジュールのモジュールケース枠の端面に配線溝を形成し、該配線溝の内側壁、外側壁の所要箇所に内切欠部、外切欠部を形成したので、回路基板に接続されるケーブル類は前記配線溝、内切欠部、外切欠部を通して行われるので、モジュールに対する配線が単純化され、又配線の識別が容易となるので、メンテナンス性を向上させ、又配線がモジュールの占有空間内に収る為、ケーブル配線の為の余分な空間が必要なく、電子機器の小型化を図れる等の優れた効果を発揮する。
【図面の簡単な説明】
【図１】本発明の実施の形態を示す斜視図である。
【図２】本発明の他の実施の形態を示す斜視図である。
【図３】該他の実施の形態に使用される部分枠の斜視図である。
【図４】従来例の斜視図である。
【符号の説明】
１          配線基板
２          電子部品
３          回路基板
５          ケーブル
７          モジュールケース
８          配線溝
８ａ        内側壁
８ｂ        外側壁
９          内切欠部
１０        外切欠部
１１        部分枠
１２        ボルト孔
１３        ボルト
１５        モジュールケース枠
【図１】
0004698866.tif 000002
【図２】
0004698866.tif 000003
【図３】
0004698866.tif 000004
【図４】
0004698866.tif 000005